(57)【要約】      （修正有）【課題】  粘着テープの粘着力が低下しても粘着テープを切ることなく連続使用できる粘着テープ巻取り装置を提供する。【解決手段】グリップ付きロール管支持軸８の、先端部ロール管に粘着テープ６を装着し、粘着テープ先端部を、後部ロール管に装着した巻取り管７に粘着する。歯車又はエンドレスベルトを介して連動往復回転で、前進回転一方向時に、先端部ロール管より粘着テープの操出速度（量）に対応して、巻取り管で自動的に粘着テープを巻取らせ、テープが弛むことなくピンと張った状態で、粘着作用が低下した粘着テープを後部巻取り管に巻取ることが出来る粘着テープ巻取り装置を提供するものである。【選択図】  図１
2006263423.tif 000002
【特許請求の範囲】
【請求項１】
ロール管支持軸８の先端部ロール管支持軸８ａに粘着テープ６装着するロール管１と、後部ロール管支持軸８ｂに、巻取り管７，７ａ，７ｂを装着するロール管１ａ，１ｂの回転手段として駆動部２を同時に装着する。さらに先端部ロール管１と後部ロール管１ａ，１ｂを連動往復回転させる歯車又はエンドレスベルトを設けて、粘着テープ６の操出速度（量）に対応して、巻取り管７，７ａに自動的に巻取るよう構成されたことを特徴とする粘着テープ巻取り装置。
【請求項２】
先端部ロール管１側面に前進回転一方方向時、スリップ（空転）容認可能なスプリング４，４ｅ，４ｆ，４ｉ，４ｍ，４ｎをセット部５，５ｄ，５ｅ，５ｈ，５ｋ，５ｍに設けたことを特徴とする請求項１記載の粘着テープ巻取り装置。
【請求項３】
後部ロール管支持軸８ｂに後部ロール管１ａ、１ｂの回転手段の駆動部２を同時に設けたことを特徴とする請求項１又２記載の粘着テープ巻取り装置。
【請求項４】
後部ロール管１ａ、１ｂの回転手段としての駆動部２セット部５ａ，５ｂ，５ｇ，５ｆ，５ｊ，５ｉ，５ｎ，５ｐにスリップ（空転）容認可能なスプリング４ａ，４ｄ，４ｇ，４ｈ，４ｊ，４ｋ、４ｐ、４ｒと歯車３ｙを設けたことを特徴とする請求項１，２又は３記載の粘着テープ巻取り装置。
【請求項５】
後部ロール管１ａ，１ｂの内側側面に駆動部２内側側面の歯車３ｙと作用する回転ピン１０を設けたことを特徴とする請求項１，２，３又は４記載の粘着テープ巻取り装置。
【請求項６】
後部ロール管１ａ、１ｂの内側側面の中央部に、後進回転時の過剰回転（空転）防止のスプリング４ｂを設けたことを特徴とする請求項１，２，３，４又は５記載の粘着テープ巻取り装置。
【請求項７】
ロール管支持軸８ｂにスプリング４ｂとの作用より過剰回転（空転）防止するための凸部１７ａを設けたことを特徴とする請求項１，２，３，４，５又は６記載の粘着テープ巻取り装置。
【請求項８】
後部ロール管１ａの形状を多角形状に設けたことを特徴とする請求項１，２，３，４，５，６又は７記載の粘着テープ巻取り装置。
【請求項９】
後部ロール管１ｂの形状を楕円形状に設けたことを特徴とする請求項１，２，３，４，５，６，７又は８記載の粘着テープ巻取り装置。
【請求項１０】
巻取り管７，７ａの形状をロール管１ａ，１ｂの形状に合わせて設けたことを特徴とする請求項１、２，３，４，５，６，７，８，又は９記載の粘着テープ巻取り装置。
【請求項１１】
巻取り管７，７ａ，７ｂを粘着テープ６の内側に挿入できるよう設けたことを特徴とする請求項１，２，３，４，５，６，７，８，９又は１０記載の粘着テープ巻取り装置。
【発明の詳細な説明】
【技術分野】
【０００１】  本発明は、粘着面をマットやジュータン等に押接してゴミ、チリ等を付着させ、粘着テープを切ることなく連続使用できる粘着テープ巻取り装置に関する。
【背景技術】
【０００２】  従来のロール管に装着して前後往復回転しながら用いられる掃除用の粘着テープは、粘着作用が低下する度に毎回切り取ることは大変面倒なことであった。さらに粘着テープを直線的に切ることは大変難しく、末使用部分まて切り取る場合もあり不経済であった。
【発明の開示】
【発明が解決しようとする課題】
【０００３】  以上に述べたように従来のロール管に装着して使用される掃除用の粘着テープは，粘着作用が低下した場合、その度ごとに直線的に切り取ることは大変難しく未使用面まで切り取る場合があり無駄が生じるという問題点があった。【０００４】  また、特に粘着テープに髪の毛等が付着している場合、直線的に切り取ることは大変困難であると共に、どのようなゴミが付着しているか判らず毎回触って切り取らなければならず煩わしく又不衛生的であるという問題点もあった。
【課題を解決する手段】
【０００５】  粘着テープ巻取り装置のロール管を、粘着テープを装着する先端部と、巻取り管を装着する後部とに分けて設ける。そして連動往復回転させながら使用する時、粘着作用が低下した粘着テープ面を常にピンと張った状態を保持しながら後部ロール管の巻取り管に、自動的に巻取れるように設けることにより問題点を解決している。
【０００６】  本発明は上記問題点を解決するために、連動往復回転して使用できるよう、ローラ管支持軸の先端部に粘着テープ脱着自在のロール管に粘着テープを装着する。また後部のロール管支持軸に巻取り管脱着自在のロール管と、ロール管の回転手段としての駆動部を設けて粘着テープの先端部を巻取り管に粘着する。そして使用される粘着テープの粘着作用が低下する度ごとに切る必要がなく連続して使用できるよう設けることにより問題点を解決している粘着テープ巻取り装置である。
【０００７】  上記課題解決手段による作用は次の通りである．先端部ロール管と後部ロール管の駆動部との間に歯車又はエンドレスベルトの作用により連動往復回転できるよう設けられている。
【０００８】  先端部ロール管の外側側面にスリップ（空転）容認可能なスプリング又は連動する歯車をプラスチックや、弾性を有する材料（例えばゴム等）で設けられる。さらに先端部ロール管と後部ロール管との間に設けられる歯車も同様である。
【０００９】また、後部ロール管の内側側面には、駆動部の歯車と前進回転時の一方方向と、後進回転時は空転する回転ピンを設けられている。また駆動部外側側面は先端部ロール管と同様に設けられている。
【００１０】  さらに、先端部ロール管の外側側面と連動往復回転する駆動部の歯車と、連動回転する回転ピンは，前進回転の一歩方向だけに作用し，後進回転時は空転するよう設けられている。そのため後部ロール管に一切の負荷（摩擦）が掛からないため過剰回転（空転）を防止する必要がある。その防止策として、後部ロール管内側側面中央部にロール管支持軸に設けられる凸部との摩擦（抵抗）により過剰回転（空転）を防止するスプリングを設けている。
【００１１】  また先端部ロール管に装着される粘着テープを完全に使い切るためには先端部外側側面に設けられている、円周状のスプリング及び歯車の直径は最大でも粘着テープ芯管外径直径内に設けられている。そのため連動往復回転するとき、粘着テープが弛まず常にピンと張った状態を保持さうるためには，先端部ロール管より繰出す速度（量）と後部ロール管の巻取り速度（量）は使用開始より同等か、それ以上の反力値（巻取り量）が必要である。そのためには、歯車（中間）又はエンドレスベルトを介して連動往復回転させる先端部及び駆動部側面の円周状のスプリング及び歯車、さらに後部ロール管及び巻取り管の直径（外周）を考慮することにより可能となる。
【００１２】  また後部ロール管に装着される巻取り管は使用開始を除けば、使用済みの粘着テープの芯管を使用することも可能であるが、しかし粘着テープ巻取り装置は粘着テープが弛むことなく常にピンと張った状態であることが絶対的必要条件である。使用時先端部の粘着テープ面は常に床面に押接されているため空転することはないが、連動往復回転する後部巻取り管（紙管）の内側は常にロール管表面との摩擦（抵抗）により削られ密着度が低下し、ロール管と連動せず巻取り管単独で回転する可能性が大である。その防止策として後部ロール管の形状を多角形状又は楕円形状に設けることにより空転を防止できる。
【００１３】  さらに上記ロール管に装着される巻取り管（紙管）の形状もロール管の形状に合わせて装着できるよう設けられている。また別途設けられる巻取り管は包装や梱包さらに、輸送費等の経費削減を考慮して粘着テープの内側に挿入できるよう設けられている。そのため後部ロール管の外径は粘着テープの芯管外径直径内に設けられている。
【発明の効果】
【００１４】  上述したように本発明は、粘着テープ面をカーペット等に押接して連動往復回転させることにより髪の毛、ダニその他のゴミを付着させてきれいに掃除することができる。また粘着作用が低下した場合でも従来のように、毎回切り取る必要はなく、粘着作用が低下したテープ部分を巻取り管に自動的に巻取りながら粘着テープを無駄なく使用して掃除することができるため、煩わしさから開放され、かつ衛生的である。さらに非常に簡単で簡潔な構造であるため部品点数も極めて少なく、使用中の故障も発生しにくいために製造コストも安価であり、大変経済的な粘着テープ巻取り装置である。
【発明を実施するための最良の形態】
【００１５】  以下、本発明の実施の形態を図１から図３４に基づいて説明する。【００１６】  図１においては，本発明の粘着テープ巻取り装置の１実施例を示す縦断正面図である。棒状に設けられたロール管支持軸８の中間部位又は端部位に突設したグリップ１８と、一方方向に平行に突出した３本のロール管支持軸８，８ａ，８ｂを設けられている。先端部ロール支持軸８ａには，粘着テープを装着６されるロール管１の外側側面に、波型状の歯車３ａと、その外周内側のセット部５にスプリング４を備えた歯車３と粘着テープ６を装着したとき外れたりしないためのガイド１１ｃを設けられており，ロール管支持軸８ａに設けられているネジ穴１４にネジ蓋１５で取り外し出来るよう止められている。また後部ロール管支持軸８ａには凸部１７ａとネジ穴１４ａを設けられている。またロール管１ａの回転手段として同時に装着される駆動部２には，粘着テープ６ａを巻取り管７に整然と巻取るためのガイド１１と、内側に歯車３ｙと、外側側面に波型状の歯車３ｃを設けられている。さらにその外周内側セット部５ａにスプリング４ａを備えた歯車３ｂを設けられている。またロール管１ａ内側側面には，駆動部２の歯車３ｙと前進回転時の一方方向だけに作用する回転ピンと、さらに後進回転時ロール管支持軸８ｂに形状が前進回転時は抵抗（摩擦）が小さく、後進回転時は大きくなるよう設けられた凸部１７ａとの作用により過剰回転（空転）防止出来るスプリング４ｂを中央部内側のセット部に設けられている。そしてロール管支持軸８ｂにロール管１ａと駆動部を自在回転できるよ装着されている。そして取り外し出来るようネジ穴１４ａをネジ蓋１５ａで止められている。また先端部ロール管１と後部駆動部２との間に設けられ連動往復回転させる歯車３ｄは、中間に設けられたロール管支持軸８ｃに自在回転出来るよう装着され脱落しないよう駆動部２のガイド１１で防止されている。【００１７】上記はのように構成される粘着テープ巻取り管装置は、下記に示される実施例１から７の、先端部外側側面と駆動部外側側面の構成とは異なる部分はあるが，基本的原理は同一に構成されているため作用に関しては実施例１で述べられている通りであり説明は省略されている。その作用は、先端部ロール管１に装着された粘着テープ６の先端部を折り返して、後部ロール管１ａに装着された巻取り管７に粘着する。そしてグリップを持って先端部粘着テープ６の粘着面を床面に接押して、連動往復回転さたとき、使用開始時より粘着テープ６が弛まず常にピンと張った状態を保持するためには、前進回転時ロール管１より繰出す速度（量）と後部巻取り管７の巻取り速度（量）は同等かそれ以上の反力値（巻取り量）を維持する手段として、先端部ロール管１の外側側面及び駆動部外側側面にスリップ（空転）容認可能なスプリング４，４ａを設けられている。また巻取り管７を装着されたロール管１ａの内側側面に設けたれた回転ピン１０は、駆動部２の歯車３ｙとの作用により前進回転の一方方向だけ作用し、後進時は空転するように設けられているため、後進時の回転は先端部ロール管１の回転力だけで回転する。そのため使用の仕方によっては過剰回転（空転）し、粘着テープ６ａをピンと張った状態を��持出来なくなる場合を考慮する必要がある。その解決手段として００１６に記載される凸部１７ａと、スプリング４ｂの作用により過剰回転（空転）を防止することが出来ることにより、連動往復回転時でも粘着テープ６ａは常に弛むことなくピンと張った状態を維持できる粘着テープ巻取り装置である。【００１８】  図２は、同上装置のロール管１ａと駆動部２を示す縦断正面拡大図である。ロール管支持軸８の後部ロール管支持軸８ｂに凸部１７ａとネジ穴１４ｃを設けられている。またロール管１ａには巻取り管を装着したときの脱落防止のガイド１１ｄと、内側側面のガイドとガイドとの間に回転ピン１０、さらに中央部内側セット部にスプリング４ｂを設けられている、そして回転手段としての駆動部２内側には歯車３ｙと、中間に巻取り管に粘着テープを整然と巻取るためと、連動往復回転時の歯車の脱落防止及び使用時床面のフローリング等に置いた場合でも傾斜して粘着面全体が付着しないガイド１１と、外側側面に波型状の歯車３ｃを設けられている。さらにその周囲内側のセット部５ａにスプリング４ａを備えた歯車３ｂを設けられている。そしてロール管支持軸８ｂにロール管１ａと同時に自在回転できるよう装着されている。そして取り外し出来るようネジ穴１４ａをネジ蓋１５ａで止められている。尚Ｂ−Ｂ，Ｃ−Ｃ，Ｄ−Ｄは図２４から図３０に示される方向である。【００１９】  図３は、同上装置Ａ−Ａ方向を示す側面図である。ロール管１の外側側面に波型状の歯車３ａを設けられている。さらにその外周内側セット部５にスプリング４を備えた歯車３を設けて自在回転出来るようロール管支持軸８ａに装着されている。そして粘着テープ６を装着されている。また凸部１７ａを設けられた後部ロール管支持軸８ｂに、巻取り管を装着するロール管の回転手段として同時に自在回転出来るよう装着される駆動部２の外側側面に波型状の歯車３ｃを設けられている。さらに、その外周内側セット部５ａにスプリング４ａを備えた歯車３ｂを設けられている。またさらに駆動部２に設けられているガイド１１は、巻取り管に粘着テープ６ａを整然と巻取るためと、特にフローリング等に置いた場合でも駆動部２が傾斜することにより粘着面全体が付着せず、さらにロール管支持軸８ｃに装着され、先端部ロール管１と後部駆動部２を連動往復回転させるための歯車３ｄの脱落防止も兼ねることが出来るガイド１１である。６ａは連動往復回転時弛むことなく常にピンと張った状態を示す粘着テープである。【００２０】  図４は、同上装置のロール管１の主要部を示す拡大図である。ロール管１の外側側面に波型状の歯車３ａを設けられている。さらにその外周内側のセット部５にスプリング４を備えた歯車３を設けて、ロール管支持軸８の先端部ロール管支持軸８ａに自在回転出来るよう装着されたロール管１に、粘着テープ６を装着されている。【００２１】  図５は、同上装置後部の回転手段の駆動部２を示す拡大図である。ロール管支持軸８の凸部１７ａを設けられた後部ロール管支持軸８ｂに巻取り管を装着するロール管１ａの回転手段としての駆動部２内側側面に歯車３ｙと、巻取り管に粘着テープを整然と巻取るためのと、図３の歯車３ｄの脱落防止と、特にフローリング等に置いた場合でも駆動部２が傾斜することにより粘着面全体が付着しないガイド１１と、外側側面に波型状の歯車３ｃを設けられている。さらにその外周内側セット部５ａにスプリング４ａを備えた歯車３ｂを設けてロール管後部ロール管支持軸８ｂに自在回転出来るよう装着されている。【００２２】  図６は、本発明の第２実施例のＡ−Ａ方向を示す側面図である。ロール管１の外側側面に円周状に凹部１６を設けられている。さらにその外周内側に弾性を有する材料（伸縮性）を用いて凸部１７を固着される波型状の歯車３ｅを設けられている、そしてロール管支持軸８ａに自在回転出来るよう装着されて、粘着テープ６を装着されている。また凸部１７ａを設けた後部ロール管支持軸８ｂに、巻取り管を装着するロール管の回転手段として同時に自在回転出来るよう装着される駆動部２の外側側面に、波型状の歯車３ｇを設けられている、さらにその外周内側に弾性を有する材料（伸縮性）を用いて波型状の突起部１３を備えた波型状の歯車３ｆを設けられている。またさらに、巻取り管に粘着テープ６ａを整然と巻取るためと、ロール管支持軸８ｃに自在回転出来るよう装着されて、連動往復回転時の歯車３ｈの脱落防止と、特にフローリング等に置いた場合でも駆動部２が傾斜することにより粘着面全体が付着しないガイド１１を設けられている。尚６ａは連動往復回転時弛むことなく常にピンと張った状態を示す粘着テープである。【００２３】  図７は、同上装置のロール管１の主要部を示す拡大図である。ロール管１の外側側面に円周状に凹部１６を設けられている。さらにその外周内側に弾性を有する材料（伸縮性）を用いて凸部１７を固着した波型状の歯車３ｅを設けられている。そしてロール管支持軸８の先端部ロール管支持軸８ａに自在回転出来るよう装着されたロール管１に、粘着テープ６を装着している。【００２４】  図８は、同上装置後部の回転手段の駆動部２を示す拡大図である。ロール管支持軸８の凸部１７ａを設けられた後部ロール管支持軸８ｂに巻取り管を装着する。ロール管の回転手段としての駆動部２内側側面に歯車３ｙと、巻取り管に粘着テープを整然と巻取るためのと、図６の歯車３ｈの脱落防止と、特にフローリング等に置いた場合でも駆動部２が傾斜することにより粘着面全体が付着しないガイド１１と，外側側面に波型状の歯車３ｇを設けられている。さらにその外周に弾性を有する材料（伸縮性）を用いて波型状の突起部１３を備えた波型状の歯車３ｆを設けて自在回転出来るよう装着されている。【００２５】  図９は、本発明の第３実施例のＡ−Ａ方向を示す側面図である。ロール管１の外側側面に歯車３ｉを設けられている。そしてロール管支持軸８ａに自在回転できるよう装着し、粘着テープ３を装着されている。また凸部１７ａを設けられた後部ロール管支持軸８ｂに、ロール管の回転手段として同時に自在回転できるよう装着される駆動部２の外側側面には、波型状の歯車３ｋを設けられている。さらにその外周内側のセット部５ｂにスプリング４ｄを備えた歯車３ｊを設けられている。また巻取り管に粘着テープ６ａを整然と巻取るためと、ロール管支持軸８ｃに装着される連動往復回転時の歯車３ｍの脱落防止め及び特にフローリング等に置いた場合でも駆動部が傾���することにより粘着面が付着しないためのガイド１１を設けられている。尚６ａは連動往復回転時弛むことなく常にピンと張った状態を示す粘着テープである【００２６】  図１０は、同上装置のロール管１の主要部を示す拡大図である。ロール管１の外側側面に歯車３ｉを設けられている。そしてロール管支持軸８の先端部ロール管支持軸８ａに自在回転出来るよう装着されて，粘着テープ６を装着している。【００２７】  図１１は、同上装置後部の回転手段の駆動部２を示す拡大図である。ロール管支持軸８の凸部１７ａを設けられた後部ロール管支持軸８ｂに、巻取り管を装着するロール管の回転手段としての駆動部２内側側面に波型状の歯車３ｙと、巻取り管に粘着テープを整然と巻取るためと、図９に示される歯車３ｍの脱落落防止、特にフローリング等に置いた場合でも駆動部２が傾斜することにより粘着面が付着しないガイド１１と、その外側側面には波型状の歯車３ｋを設けられている。さらにその外周内側セット部５ｂにスプリング４ｄを備えた歯車３ｊを設けられている。そして自在回転出来るようロール管支持軸８ｂに装着されている。【００２８】  図１２は、本発明の第４実施例のＡ−Ａ方向を示す側面図である。ロール管１の外側側面に波型状の歯車３ｎを設けられている。さらにその外周内側セット部５ｅにスプリング４ｆと、その外側のセット部５ｄにスプリング４ｅを備え円周状に設けて先端部ロール管８ａに自在回転出来るよう装着し、粘着テープを装着されている。また凸部１７ａを設けた後部ロール管支持軸８ｂには、ロール管の回転手段として同時に自在回転出来るよう装着される駆動部２の外側側面に波型状の歯車３ｐを設けられている。そしてその外周内側のセット部５ｇにスプリング４ｈを備え、さらに外周内側セット部５ｆにスプリング４ｇを備え円周状に設けられている。さらに巻取り管に粘着テープ６ａを整然と巻取るためと、特にフローリング等に置いた場合でも駆動部２が傾斜することにより粘着面が付着しないガイド１１を設けられている。尚９は連動往復回転時のエンドレスベルトであり、６ａは連動往復回転時弛むことなく常にピンと張った状態を示す粘着テープである【００２９】  図１３は、同上装置のロール管１の主要部を示す拡大図である。ロール管１の外側側面に波型状の歯車３ｎを設けられている。さらにその外周内側セット部５ｅにスプリング４ｆと、その外側内側のセット部５ｄにスプリング４ｅを備え円周状に設けられている。そしてロール管支持軸８の先端部ロール管支持軸８ｂに自在回転出来るよう装着されて、粘着テープ６を装着されている。【００３０】  図１４は、同上装置後部の回転手段の駆動部２を示す拡大図である。ロール管支持軸８の凸部１７ａを設けた後部ロール管支持軸８ｂに巻取り管を装着するロール管の回転手段としての駆動部２内側側面に波型状の歯車３ｙと、巻取り管に粘着テープを整然と巻取るためと、特にフローリング等に置いた場合でも駆動部２が傾斜することにより粘着面が付着しないガイド１１と、外側側面に波型状の歯車３ｐを設けられている。さらにその外周内側セット部５ｇにスプリング４ｈを備え、さらに外周内側のセット部５ｆにスプリング４ｇを円周状に設けられている。そして後部ロール管支持軸８ｂに自在回転出来るよう装着されている。【００３１】図１５においては本発明の第５実施例のＡ−Ａ方向を示す側面図である。ロール管１の外側側面のセット部５ｈにスプリング４ｉを備え円周状に設けられている。そして先端部ロール管支持軸８ａに自在回転出来るよう装着し、粘着テープ６を装着されている。また凸部１７ａを設けられた後部ロール管支持軸８ｂには，ロール管の回転手段として同時に自在回転出来るよう装着される駆動部２の外側側面に波型状の歯車３ｒを設けられている。そしてその外周内側のセット部５ｊにスプリング４ｋを備え，さらに外周の内側セット部５ｊにスプリング４ｋを備え円周状に設けられている。さらに巻取り管に粘着テープ６ａを整然と巻取るためと，特にフローリング等に置いた場合でも駆動部２が傾斜することにより粘着面が付着しないガイド１１を設けられている。尚９は連動往復回転時のエンドレスベルトであり，６ａは連動往復回転時弛むことなく常にピンと張った状態を示す粘着テープである【００３２】  図１６は、同上装置のロール管１の主要部を示す拡大図である。ロール管１の外側側面のセット部５ｈにスプリング４ｉを設けられている。そしてロール管支持軸８の先端部ロール管支持軸８ａに自在回転できるよう装着し、粘着テープ６を装着されている。【００３３】  図１７は、同上装置後部の回転手段の駆動部２を示す拡大図である。ロール管支持軸８の凸部１７ａを設けられた後部ロール管支持軸８ｂには、ロール管の回転手段として同時に自在回転出来るよう装着される駆動部２の内側側面に歯車３ｙと、外側側面に波型状の歯車３ｒを設けられている。またその外周内側のセット部５ｊにスプリング４ｋを備え、さらに外周内側のセット部５ｉにスプリング４ｊを円周状に設けられている。また巻取り管に粘着テープを整然と巻取るためと、特にフローリング等に置いた場合でも駆動部２が傾斜することにより粘着面が付着しないガイド１１を設けられている。【００３４】  図１８は、本発明の第６実施例のＡ−Ａ方向を示す側面図である。ロール管１の外側側面に波型状の歯車３ｓを設けられている。さらにその外周内側セット部５ｍにスプリング４ｎと、その外側のセット部５ｋにスプリング４ｍを備え円周状に設けられて先端部ロール管８ａに自在回転出来る装着されて，粘着テープ６を装着している。また凸部１７ａを設けられた後部ロール管支持軸８ｂには、巻取り管を装着するロール管の回転手段としての駆動部２外側側面のセット部５ｎにスプリング４ｐを円周状に設けられている。さらに巻取り管に粘着テープ６ａを整然と巻取るためと，特にフローリング等に置いた場合でも駆動部が傾斜することにより粘着面全体が付着しないガイド１１を設けられている。尚９は連動往復回転時のエンドレスベルトであり，６ａは連動往復回転時弛むことなく常にピンと張った状態を示す粘着テープである【００３５】  図１９は、同上装置のロール管１の主要部を示す拡大図である。ロール管１の外側側面に波型状の歯車３ｓを設けられている。さらにその内側セット部に５ｍにスプリング４ｎを備え、その外側内側のセット部５ｋにスプリング４ｍを円周状に設けられている。そしてロール管支持軸８の先端部ロール管１���装着されて、粘着テープ６を装着している。【００３６】  図２０は、同上装置後部の回転手段の駆動部２を示す拡大図である。ロール管支持軸８の凸部１７ａを設けられた後部ロール管支持軸８ｂには、ロール管の回転手段として同時に自在回転出来るよう装着される駆動部２の内側側面に歯車３ｙと、外側側面のセット部５ｎにスプリング４ｐを円周状に設けられている。また巻取り管に粘着テープを整然と巻取るためと、特にフローリング等に置いた場合でも駆動部が傾斜することにより粘着面が付着しないガイド１１を設けられている。【００３７】  図２１は、本発明の第７実施例のＡ−Ａ方向を示す側面図である。ロール管１の外側側面に歯車３ｔを設けられている。そしてロール管支持軸８ａに自在回転できるよう装着されて、粘着テープ６を装着されている。また凸部１７ａを設けた後部ロール管支持軸８ｂに巻取り管を装着するロール管の回転手段として同時に自在回転出来るよう装着される駆動部２外側側面のセット部５ｐにスプリング４ｒを円周状に設けられている。またさらに巻取り管に粘着テープ６ａを整然と巻取るためと、特にフローリング等に置いた場合でも駆動部２が傾斜することにより、粘着面が付着しないためのガイド１１を設けられている。尚９は連動往復回転時のエンドレスベルトであり，６ａは連動往復回転時弛むことなく常にピンと張った状態を示す粘着テープである【００３８】  図２２は、同上装置のロール管１の主要部を示す拡大図である。ロール管１の外側側面に歯車３ｔを設けられている。そしてロール管支持軸８の先端部ロール管８ａに装着されて、粘着テープ６を装着している。【００３９】  図２３は、同上装置後部の回転手段の駆動部２を示す拡大図である。ロール管支持軸８の凸部１７ａを設けられている、後部ロール管支持軸８ｂに自在回転できるよう同時に装着されるロール管の回転手段としての駆動部２の内側側面には、歯車３ｙと外側側面のセット部５ｐにスプリング４ｒを円周状に設けられている。また巻取り管に粘着テープを整然と巻取るためと、特にフローリング等に置いた場合でも駆動部２が傾斜することにより粘着面が付着しないガイド１１を設けられている。る。【００４０】  図２４は、図２のＣ−Ｃ方向を示す駆動部２側面図である。凸部１７ａを設けられた後部ロール管支持軸８ｂに巻取り管を装着するロール管の回転手段として同時に自在回転出来るよう装着される駆動部２の内側側面に歯車３ｙと、巻取り管に粘着テープを整然と巻取るためと、特にフローリング等に置く場合に駆動部２が傾斜することにより粘着面が付着しないためと、また先端部ロール管と駆動部を歯車（例として図３参照）を用いて連動往復回転させる場合は、脱落防止も兼用できるガイド１１である。【００４１】  図２５は、図２のＤ−Ｄ方向ロール管１ａのピンホールを示す側面図である。巻取り管を装着する多角形状後部ロール管１ａの内側側面に、上記図２４の歯車３Ｙと連動往復回転するとき回転ピンが一方方向前進回転時だけ作用するガイド１１ｂと後進回転時空転出来るガイド１１ａとの間に回転ピン設けるためのピンホール１２を設けられている。さらに後進回転時の過剰回転（空転）防止の手段として、ロール管支持軸８ｂに設けられ凸���１７ａと作用するスプリング４ｂを中央部内側のセット部５ｒに設けられている。【００４２】  図２６は、図２のＢ−Ｂ方向ロール管１ａの回転ピンを示す側面図である。巻取り管を装着する多角形状後部ロール管１ａの内側側面に円周状に設けられた連動往復回転時前進回転の一方方向だけ作用するガイド１１ｂと、後進回転時空転出来るガイド１１ａとの間の（図２５参照）ピンホールに回転ピン１０を設けられている。またさらに中央部内側セット部５ｒには後進回転時の過剰回転（空転）を防止するためのスプリング４ｂを設けられている。その作用はロール管支持軸８ａに設けられる凸部１７ａの形状を前進回転時は抵抗（摩擦）が小さく、後進回転時は抵抗（摩擦）大きく成るよう設けられていることにより防止することが出来る。【００４３】  図２７は、図２のＢ−Ｂ方向の一部駆動部２断面を示す側面図である。巻取り管を装着する多角形状後部ロール管１ａには回転手段として同時に自在回転出来るよう装着される駆動部２の歯車３ｙ（図２４参照）と、前進回転時の一方方向だけ作用し、後進回転時は空転する回転ピン１０を設けられている。さらに内側中央部にはロール管支持軸８ｂに設けられる凸部１７ａと作用して後進回転時の過剰回転（空転）を防止出来るスプリング４ｂを、セット部に設けられている。【００４４】  図２８は、図２のＤ−Ｄ方向の異なるロール管１ｂのピンホールを示す側面図である。巻取り管を装着する楕円形上後部ロール管１ｂの内側側面に、図２４の歯車３Ｙと連動往復回転するとき回転ピンが一方方向前進回転時だけ作用するガイド１１ｂと後進回転時空転出来るガイド１１ａとの間に回転ピン設けるためのピンホール１２を設けられている。さらに後進回転時の過剰回転（空転）防止の手段として、ロール管支持軸８ｂに設けられ凸部１７ａと作用するスプリング４ｂを中央部内側のセット部５ｒに設けられている【００４５】  図２９は、図２のＢ−Ｂ方向の異なるロール管１ｂの回転ピンを示す側面図である。巻取り管を装着する楕円形状後部ロール管１ａの内側側面に円周状に設けられた連動往復回転時前進回転の一方方向だけ作用するガイド１１ｂと、後進回転時空転出来るガイド１１ａとの間の（図２８参照）ピンホールに回転ピン１０を設けられている。さらに後進回転時の過剰回転（空転）防止の手段として、ロール管支持軸８ｂに設けられ凸部１７ａと作用するスプリング４ｂを中央部内側のセット部５ｒに設けられている。【００４６】  図３０は、図２のＢ−Ｂ方向の異なるロール管１ｂの一部駆動部２断面を示す側面図である。巻取り管を装着する楕円形状後部ロール管１ｂには回転手段として同時に自在回転出来るよう装着される駆動部２の歯車３ｙ（図２４参照）と、前進回転時の一方方向だけ作用し、後進回転時は空転する回転ピン１０を設けられている、さらに内側中央部にはロール管支持軸８ｂに設けられる凸部１７ａと作用して後進回転時の過剰回転（空転）を防止出来るスプリング４ｂをセット部に設けられている。【００４７】図３１は、先端部ロール管１の外側側面とロール管１ａ，１ｂの回転手段としての駆動部外側側面全体にカバーを設けた状態を示す正面図である。使用時髪の毛や糸クズ等のゴミが歯車やエンドレスベルトに絡まったり、入ったりしないためと、さらに先端部ロール管１外側側面及び後部駆動部外側側面に設けられた歯車及びスプリング等が外れたり脱落しないよう防止できるよう設けられている。【００４８】  図３２は、多角形状の巻取り管７を粘着テープの内側に挿入した状態を示す側面図である。多角形状に設けられた後部ロール管１ａの形状に合わせて別途設けられた巻取り管７（紙管）は、包装費や輸送費等の削減するために粘着テープ６の内側に挿入出来るよう設けられている。【００４９】  図３３は、楕円形状の巻取り管７ａを粘着テープに内側に挿入した状態を示図である。楕円形状に設けられた後部ロール管１ｂの形状に合わせて別途設けられた巻取り管７ａ（紙管）は、包装費や輸送費等の削減するために粘着テープ６の内側に挿入出来るよう設けられている。【００５０】  図３４は、図２４，２５，２６に示される多角形状のロール管１や、図２８，２９，３０に示される楕円形状のロール管１ａに装着されたとき同形状になるよう対応できるよう別途設けられた円筒形状の巻取り管７ｂは、包装費や輸送費等の削減するために粘着テープ６の内側に挿入できるよう設けられている。や輸送費等の削減するために粘着テープ６の内側に挿入出来るよう設けられている。【００５１】  上記実施例の図１から図３４の、本発明の粘着テープ巻取り装置の作用について説明すると、先端部ロール管に装着される粘着テープを完全に使い切れるように、先端部ロール管外側側面に円周状に設けられるスプリングや歯車及びエンドレスベルトを掛け渡した状態での最大直径は、粘着テープ芯管外径直径内に設けられている。【００５２】  また、連動往復回転の前進回転時に粘着テープが弛むことなく常にピンと張った状態を保持するためには，使用開始時より先端部ロール管より繰出す速度（量）と後部巻取り管の巻取り速度（量）は同等か、それ以上の反力値（巻取り量）が必要である。歯車を介して連動回転させる場合は、先端部及び駆動部側面に設けられる円周状のスプリング及び歯車、さらに巻取り管の直径（外周）を考慮して適宜に設けることにより解決している。【００５３】  特にエンドレスベルトを介して連動往復回転させる場合、後部ロール管に装着される巻取り管の直径は図３２，３３，３４で説明された理由により、最大でも粘着テープの芯管内径直径内であることを考慮すれば、当然後部ロール管の駆動部外側側面に設けられる円周状のスプリングや歯車の直径は、先端部ロール管外側側面に設けられる円周状のスプリング又は歯車の直径以内の円周状のスプリング又は歯車を適宜に設けることにより前進回転時の反力値（巻取り量）は可能となる。【００５４】  また全ての図に示される回転は、先端部ロール管と後部ロール管駆動部は同方向であるが、正逆方向に回転させる場合は、連動往復回転に歯車を用いる場合は２個設ければよく、エンドレスベルトを用いる場合は、タスキ掛け（８の字）にすることにより可能となる。さらに、後記されるガイド１１ｂ，１１ａ及び凸部１７ａの形状も正反対に設ければよい。【００５５】  また凸部１７ａを設けた後部ロール管支持軸８ｂに巻取り管を装着するロール管の転回転手段としてロール管と同時に装着される駆動部外側側面の��周状のスプリング又は歯車が、先端部ロール管と連動往復回転するとき内側側面の歯車３ｙと、ロール管内側側面の前進回転のストッパー用ガイドと空転出来るガイドとの間のピン−ホールに自在回転出来るよう回転ピンを設けることにより前進回転の一方方向だけ作用し、後進回転時は空転する。しかし、後進回転は先端部ロール管の回転力により巻取り管を装着されたロール管は同時に回転するが、過剰回転（空転）をする場合がある。そのため過剰回転（空転）を防止ししながら適宜な反力値（テンション）を保持するための防止策として、ロール管の内側側面中央部のセット部に連動往復回転時、後部ロール管支持軸８ｂに設けられる凸部１７ａと作用するスプリングを設けることにより防止出来る。その凸部１７ａの形状は前進回転時、抵抗（摩擦）が小さく、後進回転時は抵抗（摩擦）が大きくなるよう変形した波形状に設けられることにより解決している。尚、ロール管内側の回転ピンを駆動部内側に、また回転ピンを駆動部側面に（正逆）設けることも限定するものではない。【００５６】  また上記ロール管の内側側面に設けられる回転ピンの数は、粘着テープ巻取り装置を３６０度回転させた場合でも常に回転ピンの作用が発揮出来る適宜な数設けられている。また設けられるセット部やスプリング、歯車及び凸部の形状や、サイズ、個数（数）等々は適宜に設けられ限定するものではなく、さらに実施例１から７に示される各種の先端部ロール管側面及び駆動部に設けられる各種の円周状のスプリングや歯車を自在に用いて組替えることや、連動往復回転させるために歯車又はエンドレスベルトのどちらを用いることも限定するものではない。また先端部ロール管と駆動部を連動往復回転させる歯車の脱落防止めとして支持軸にネジ穴を設けてネジ蓋で止めてもよい。さらに、図解されていないが、後部ロール管の形状を円筒形に設けることも限定するものではない。【００５７】  さらに、図３１に示されるとおり、先端部外側側面及び駆動部に設けられる円周状のスプリング及び歯車の脱落防止及びゴミ等が入り難いように全体を包囲出来るカバーを、設けられている。そして先端部ロール管支持軸にロール管を装着し、後部ロール管支持軸にロール管と、回転手段としての駆動部を同時に装着してネジ穴１４，１４ａに取り外し出来るようネジ蓋１５，１５ａで止められている。【００５８】  また、ロール管外側側面及び駆動部外側側面のセット部および、その外周にさらに設けられるスプリングや歯車を設けられる材質は限定するものではない。
【図面の簡単な説明】
【００５９】
【図１】  本発明の粘着テープ巻取り装置の１実施例を示す縦断正面図である。
【図２】  同上装置のロール管１ａと駆動部２を示す縦断正面拡大図である。
【図３】  同上装置のＡ−Ａ方向を示す側面図である。
【図４】  同上装置のロール管１の主要部を示す拡大図である。
【図５】  同上装置後部の回転手段の駆動部２を示す拡大図である。
【図６】  本発明の第２実施例、Ａ−Ａ方向を示す側面図である。
【図７】  同上装置のロール管１の主要部を示す拡大図である。
【図８】  同上装置後部の回転手段の駆動部２を示す拡大図である。
【図９】  本発明の第３実施例のＡ−Ａ方向を示す側面図である。
【図１０】  同上装置のロール管１の主要部を示す拡大図である。
【図１１】  同上装置後部の回転手段の駆動部２を示す拡大図である。
【図１２】  本発明の第４実施例のＡ−Ａ方向を示す側面図である。
【図１３】  同上装置のロール管１の主要部を示す拡大図である。
【図１４】  同上装置後部の回転手段の駆動部２を示す拡大図である。
【図１５】  本発明の第５実施例のＡ−Ａ方向を示す側面図である。
【図１６】  同上装置のロール管１の主要部を示す拡大図である。
【図１７】  同上装置後部の回転手段の駆動部２を示す拡大図である。
【図１８】  本発明の第６実施例のＡ−Ａ方向を示す側面図である。
【図１９】  同上装置，ロール管１の主要部を示す拡大図である。
【図２０】  同上装置後部の回転手段の駆動部２を示す拡大図である。
【図２１】  本発明の第７実施例のＡ−Ａ方向を示す側面図である。
【図２２】  同上装置，ロール管１の主要部を示す拡大図である。
【図２３】  同上装置後部の回転手段の駆動部２を示す拡大図である。
【図２４】  図２のＣ−Ｃ方向を示す駆動部２側面図である。
【図２５】  図２のＤ−Ｄ方向ロール管１ａのピンホールを示す側面図である。
【図２６】  図２のＢ−Ｂ方向ロール管１ａの回転ピンを示す側面図である。
【図２７】  図２のＢ−Ｂ方向の一部駆動部２断面を示す側面図である。
【図２８】  図２のＤ−Ｄ方向の異なるロール管１ｂのピンホールを示す側面図である。
【図２９】  図２のＢ−Ｂ方向の異なるロール管１ｂの回転ピンを示す側面図である。
【図３０】  図２のＢ−Ｂ方向の異なるロール管１ｂの一部駆動部２断面を示す側面図である。
【図３１】  先端部ロール管側面と駆動部側面にカバーを設けた状態を示す正面図である。
【図３２】  多角筒形の巻取り管７を粘着テープの内側に挿入した状態を示す側面図である。
【図３３】  楕円筒形の巻取り管７ａを粘着テープの内側に挿入した状態を示す側面図である。
【図３４】  円筒形の巻取り管７ｂを粘着テープの内側に挿入した状態を示す側面図である。
【符号の説明】
【００６０】  １，１ａ，１ｂ：          ロール管
２：                      駆動部
３，３ａ，３ｂ，３ｃ，３ｄ，３ｅ，３ｆ，３ｇ，３ｈ，３ｉ，３ｊ，３ｋ，３ｍ，３ｎ，３ｐ，３ｒ，３ｓ，３ｙ：歯車
４，４ａ，４ｂ，４ｄ，４ｅ，４ｆ，４ｇ，４ｈ，４ｉ，４ｊ，４ｋ，４ｍ，４ｎ，４ｐ，４ｒ：スプリング
５，５ａ，５ｂ，５ｄ，５ｅ，５ｆ，５ｇ，５ｈ，５ｉ，５ｊ，５ｋ，５ｍ，５ｎ，５ｐ，５ｒ：セット部
６，６ａ：                粘着テープ
７，７ａ，７ｂ：          巻取り管
８，８ａ，８ｂ，８ｃ：    ロール管支持軸
９：                      エンドレスベルト
１０：                    回転ピン
１１．１１ａ．１１ｂ，１１ｃ，１１ｄ：  ガイド
１２：                    ピンホール
１３：                    突起部
１４，１４ａ：            ネジ穴
１５，１５ａ：            ネジ蓋
１６：                    凹部
１７、１７ａ：            凸部
１８：                    グリップ
１９：                    カバー
Ａ−Ａ，Ｂ−Ｂ，Ｃ−Ｃ，Ｄ−Ｄ：  方向
2006263423.tif 000003
【図１】
2006263423.tif 000004
【図２】
2006263423.tif 000005
【図３】
2006263423.tif 000006
【図４】
2006263423.tif 000007
【図５】
2006263423.tif 000008
【図６】
2006263423.tif 000009
【図７】
2006263423.tif 000010
【図８】
2006263423.tif 000011
【図９】
2006263423.tif 000012
【図１０】
2006263423.tif 000013
【図１１】
2006263423.tif 000014
【図１２】
2006263423.tif 000015
【図１３】
2006263423.tif 000016
【図１４】
2006263423.tif 000017
【図１５】
2006263423.tif 000018
【図１６】
2006263423.tif 000019
【図１７】
2006263423.tif 000020
【図１８】
2006263423.tif 000021
【図１９】
2006263423.tif 000022
【図２０】
2006263423.tif 000023
【図２１】
2006263423.tif 000024
【図２２】
2006263423.tif 000025
【図２３】
2006263423.tif 000026
【図２４】
2006263423.tif 000027
【図２５】
2006263423.tif 000028
【図２６】
2006263423.tif 000029
【図２７】
2006263423.tif 000030
【図２８】
2006263423.tif 000031
【図２９】
2006263423.tif 000032
【図３０】
2006263423.tif 000033
【図３１】
2006263423.tif 000034
【図３２】
2006263423.tif 000035
【図３３】
2006263423.tif 000036
【図３４】
2006263423.tif 000037